(57)【特許請求の範囲】
【請求項１】
ネットワークを通じてアクセスしてきた利用者コンピュータと通信し、利用者コンピュータに画像と音との組み合わせによる広告を配信するＷＷＷサーバであって、
広告画像が画像広告番組単位に区分されると共に各画像広告番組に属性データが付けられて保存された広告用画像データベースと、広告音声が音声広告番組単位に区分されると共に各音声広告番組に属性データがつけられて保存された広告用音声データベースと、利用者コンピュータへ配信すべきサービス情報が記録された情報データベースとを参照する手段と、
当該ＷＷＷサーバにアクセスしてきた利用者から利用者の属性情報を取得する利用者属性情報取得手段と、
前記利用者属性情報取得手段により取得した利用者の属性情報と前記広告用画像データベースに保存された画像広告番組に付けられた属性データとをマッチングさせて画像広告番組を選択する第一のマッチング手段と、
前記利用者属性情報取得手段により取得した利用者の属性情報と前記広告用音声データベースに保存された音声広告番組に付けられた属性データとをマッチングさせて音声広告番組を選択する第二のマッチング手段と、
前記第一のマッチング手段により選択された画像広告番組に該当する広告画像と前記第二のマッチング手段により選択された音声広告番組に該当する広告音声とを組み合わせて、前記情報データベースから抽出したサービス情報と共に利用者コンピュータに配信する広告配信手段とを有するＷＷＷサーバ。
【請求項２】
ネットワークを通じてアクセスしてきた利用者コンピュータと通信し、利用者コンピュータに画像と音との組み合わせによる広告を配信するＷＷＷサーバであって、
各利用者について利用者属性が記録された利用者データベースと、広告画像が画像広告番組単位に区分されると共に画像広告番組に属性データが付けられて保存された広告用画像データベースと、各広告音声が音声広告番組単位に区分されると共に各音声広告番組に属性データがつけられて保存された広告用音声データベースと、利用者コンピュータへ配信すべきサービス情報が記録された情報データベースとを参照する手段と、
利用者コンピュータとの通信により利用者を同定する利用者同定手段と、
前記利用者データベースに保存された前記同定した利用者についての利用者属性と広告用画像データベースに保存された画像広告番組に付けられた属性データとをマッチングさせて画像広告番組を選択する第一のマッチング手段と、
利用者データベースに保存された前記同定した利用者についての利用者属性と広告用音声データベースに保存された音声広告番組に付けられた属性データとをマッチングさせて音声広告番組を選択する第二のマッチング手段と、
前記第一のマッチング手段により選択された画像広告番組に該当する広告画像と前記第二のマッチング手段により選択された音声広告番組に該当する広告音声とを組み合わせて、前記情報データベースから抽出したサービス情報と共に利用者コンピュータに配信する広告配信手段とを有するＷＷＷサーバ。
【発明の詳細な説明】
【０００１】
【発明の属する技術分野】
この発明は、広告つきの情報サービスを提供するＷＷＷサーバーに関し、とくに、情報サービスの利用者に合った広告を選んで利用者コンピュータに送達するＷＷＷサーバーに関するものである。
【０００２】
【従来の技術】
インターネットを通じてアクセスしてきた利用者コンピュータと通信し、利用者の求めに応じたサービス情報を送達するＷＷＷサーバーとして、広告つきの情報サービスを利用者コンピュータに送達するＷＷＷサーバーがある。この種のＷＷＷサーバーの中には、広告コンセプトや広告ターゲットに関連した属性データを付けられた複数個の広告番組の画像データを集約した広告データベースを管理し、利用者の属性に応じて個々の利用者に合った広告番組を広告データベースより選び出してそれ広告画像データを利用者コンピュータに送達しているものもある。また、広告画像データとともに、広告内容説明の音声やＢＧＭ等の音楽のデータ（音源データ）を広告画像データとともに利用者コンピュータに送達し、利用者コンピュータにおいて、ＷＷＷブラウザで広告画像のディスプレイ表示とともに、広告内容説明やＢＧＭ等が音響出力されるようにするＷＷＷサーバーが知られている。
【０００３】
【発明が解決しようとする課題】
テレビジョン放送の広告を含めて、人が感じる広告の印象、好感度などは、生理的に、画像（映像）を見る視覚と音を聞く聴覚との組み合わせによることが多く、しかも、それは、人の感性や好みによって個人で異なったものになることがある。
【０００４】
このことに対して、従来のＷＷＷサーバーでは、広告内容説明の音声やＢＧＭ等の音楽は、広告番組の内容に関係なく選ばれるか、あるいは広告番組毎に１対１の関係で固定設定されているから、画像と音との組み合わせによる広告が、必ずしも利用者の感性や好みに合ったものにはならず、このために、画像と音との組み合わせによる広告において、高い宣伝効果を得損ねることがある。
【０００５】
この発明は上記の点に鑑みてなされたものであり、利用者が必要と感じたり、感心や興味を持つ広告を選んで、しかも利用者個人の感性や好みに合った画像と音との組み合わせによる広告を利用者コンピュータにネットワークで配信するＷＷＷサーバーを提供することを目的とする。
【０００６】
【課題を解決するための手段】
上記の目的を達成するため、本発明は、ネットワークを通じてアクセスしてきた利用者コンピュータと通信し、利用者コンピュータに画像と音との組み合わせによる広告を配信するＷＷＷサーバであって、
広告画像が画像広告番組単位に区分されると共に各画像広告番組に属性データが付けられて保存された広告用画像データベースと、広告音声が音声広告番組単位に区分されると共に各音声広告番組に属性データがつけられて保存された広告用音声データベースと、利用者コンピュータへ配信すべきサービス情報が記録された情報データベースとを参照する手段と、
当該ＷＷＷサーバにアクセスしてきた利用者から利用者の属性情報を取得する利用者属性情報取得手段と、
前記利用者属性情報取得手段により取得した利用者の属性情報と前記広告用画像データベースに保存された画像広告番組に付けられた属性データとをマッチングさせて画像広告番組を選択する第一のマッチング手段と、
前記利用者属性情報取得手段により取得した利用者の属性情報と前記広告用音声データベースに保存された音声広告番組に付けられた属性データとをマッチングさせて音声広告番組を選択する第二のマッチング手段と、
前記第一のマッチング手段により選択された画像広告番組に該当する広告画像と前記第二のマッチング手段により選択された音声広告番組に該当する広告音声とを組み合わせて、前記情報データベースから抽出したサービス情報と共に利用者コンピュータに配信する広告配信手段とを有するものである。
【０００７】
また、本発明は、ネットワークを通じてアクセスしてきた利用者コンピュータと通信し、利用者コンピュータに画像と音との組み合わせによる広告を配信するＷＷＷサーバであって、
各利用者について利用者属性が記録された利用者データベースと、広告画像が画像広告番組単位に区分されると共に画像広告番組に属性データが付けられて保存された広告用画像データベースと、各広告音声が音声広告番組単位に区分されると共に各音声広告番組に属性データがつけられて保存された広告用音声データベースと、利用者コンピュータへ配信すべきサービス情報が記録された情報データベースとを参照する手段と、
利用者コンピュータとの通信により利用者を同定する利用者同定手段と、
前記利用者データベースに保存された前記同定した利用者についての利用者属性と広告用画像データベースに保存された画像広告番組に付けられた属性データとをマッチングさせて画像広告番組を選択する第一のマッチング手段と、
利用者データベースに保存された前記同定した利用者についての利用者属性と広告用音声データベースに保存された音声広告番組に付けられた属性データとをマッチングさせて音声広告番組を選択する第二のマッチング手段と、
前記第一のマッチング手段により選択された画像広告番組に該当する広告画像と前記第二のマッチング手段により選択された音声広告番組に該当する広告音声とを組み合わせて、前記情報データベースから抽出したサービス情報と共に利用者コンピュータに配信する広告配信手段とを有するものである。
【０００８】
【発明の実施の形態】
この発明によるＷＷＷサーバーの第１の実施形態について図１を参照して説明する。ＷＷＷサーバー１０は、ネットワーク５０を通じてアクセスしてきた利用者コンピュータ２００と通信し、利用者の求めに応じたサービス情報を送達するものである。ＷＷＷサーバー１０は、アクセスしてきた利用者コンピュータ１００との通信により、初期段階で、利用者入力データを取得する。利用者入力データは、利用者の属性情報に関するものであり、これには、利用者の性別、年齢、趣味、嗜好、職業、学歴、専門分野、収入、家族形態、住居形態、地域、購買履歴などがある。
【０００９】
ＷＷＷサーバー１０は、情報データベース１１と、広告用画像データベース１２と、広告用音声データベース１３とを管理する。情報データベース１１は、利用者コンピュータ１００に対して送達するサービス情報の内容データを集約したものである。広告用画像データベース１２は、利用者コンピュータ１００に対してサービス情報とともに送達して可視化させるための広告画像データを集約格納したものである。広告用画像データベース１２の広告画像データは番組単位で区分されており、各広告番組（画像広告番組）には広告コンセプトや広告ターゲットに関連した属性データが付けられている。
【００１０】
広告用音声データベース１３は、利用者コンピュータ１００で上述の広告番組を映像出力する際に同時に、広告内容説明の音声やＢＧＭ等の音楽を音響出力するための音声データを集約格納したものである。広告用音声データベース１３の音声データは番組単位で区分されており、各音声番組（音声広告番組）にはそれが醸し出す雰囲気や制作コンセプトに関連した属性データが付けられている。
【００１１】
ＷＷＷサーバー１０は、利用者入力データが示す利用者の属性データと広告用画像データベース１２における広告番組毎に付けられた属性データとのマッチングによって、利用者が、必要と感じたり、感心、興味を持つ広告番組を広告用画像データベース１２より選ぶマッチング処理を行う機能を有している。
【００１２】
またＷＷＷサーバー１０は、利用者入力データが示す利用者の属性データと広告用音声データベース１３における音声番組毎に付けられた属性データとのマッチングによって広告画像との組み合わせで、利用者の感性や好みなどにあった音声番組を広告用音声データベース１３から選ぶマッチング処理を行う機能を有している。
【００１３】
上述の構成により、ＷＷＷサーバー１０は、利用者コンピュータ１００との通信により取得した利用者入力データに基づいて、広告用画像データベース１２における属性データとのマッチング処理により、利用者コンピュータ１００に送達する広告番組を選出するとともに、広告用音声データベース１３における属性データとのマッチング処理により利用者コンピュータ１００に送達する音声番組を選出する。
これにより、利用者が必要と感じたり、感心や興味を持つ広告で、しかも利用者個人の感性や好みに合った画像と音との組み合わせによる広告が利用者コンピュータ１００に配信される。
【００１４】
つぎに、この発明によるＷＷＷサーバーの第２の実施形態について図２を参照して説明する。なお図２において、図１に対応する部分は、図１に付した符号と同一の符号を付けて、その説明を省略する。ＷＷＷサーバー２０は、情報データベース１１、広告用画像データベース１２、広告用音声データベース１３に加えて、利用者データベース１４を管理する。利用者データベース１４は、情報サービスの対象者となる多数の利用者についての個人情報を集約格納したものである。個人情報は、利用者の属性情報に関するものであり、これには、前述した利用者入力データによる利用者の属性情報と同じである。利用者データベース１４に集約格納する個人情報の収集は、郵便書面、ファクス、電話受付、オンライン受付等により行うことができる。
【００１５】
ＷＷＷサーバー２０は、利用者コンピュータ１０との通信により利用者を同定し、利用者データベース１４から該当者の個人情報を取得し、その個人情報が示す利用者の属性データと広告用画像データベース１２における広告番組毎に付けられた属性データとのマッチングによって、利用者が必要と感じたり、感心、興味を持つ広告番組を広告用画像データベース１２より選ぶマッチング処理を行う機能を有している。
【００１６】
またＷＷＷサーバー２０は、利用者コンピュータ１０との通信により利用者を同定し、利用者データベース１４から該当者の個人情報を取得し、その個人情報が示す利用者の属性データと広告用音声データベース１３における音声番組ごとに付けられた属性データとのマッチングによって、広告画像との組み合わせで、利用者の感性、感性や好みなどにあった音声番組を広告用音声データベース１３は選ぶマッチング処理を行う機能を有している。
【００１７】
上述の構成により、ＷＷＷサーバー２０は、利用者コンピュータ１０との通信により同定した利用者した個人情報を利用者データベース１４より取得し、その個人情報に基づいて、広告用画像データベース１２における属性データとのマッチング処理により、利用者コンピュータ１００に送達する広告番組を選出するとともに、広告用音声データベース１３における属性データとのマッチング処理により利用者コンピュータ１００に送達する音声番組を選出する。したがって前記実施例と同様に、利用者が必要と感じたり、感心、興味を持つ広告で、しかも、利用者個人の感性や好みに合った画像と音との組み合わせによる広告が利用者コンピュータ１００に配信される。
【００１８】
【発明の効果】
以上詳細に説明したように、この発明によるＷＷＷサーバーによれば、利用者の属性データに応じて選ばれた広告番組の広告画像データが利用者コンピュータへ送達されるとともに、その広告画像データとの組み合わせで、利用者の属性データに応じて選ばれた音声番組の音声データ利用者コンピュータへ送達されるから、利用者が必要と感じたり、感心や興味を持つ広告で、しかも、利用者個人の感性や好みに合った画像と音との組み合わせによる広告が利用者コンピュータに配信され、画像と音との組み合わせによる広告において、高い宣伝効果を期待できる。
【図面の簡単な説明】
【図１】この発明の第１実施例によるＷＷＷサーバーを含むシステム構成図である。
【図２】この発明の第２実施例によるＷＷＷサーバーを含むシステム構成図である
【符号の説明】
１０  ＷＷＷサーバー
１１  情報データベース
１２  広告用画像データベース
１３  広告用音声データベース
１４  利用者データベース
５０  ネットワーク
１００  利用者コンピュータ
【図１】
0004261749.tif 000002
【図２】
0004261749.tif 000003